(57)【特許請求の範囲】
【請求項１】
布帛を吸引固定するための、その中央部にある水平方向の回転軸９を軸として回転可能な上部吸引台８と、上部吸引台８の上方に移動可能に配置されて、上部吸引台８上に吸引固定された布帛に接着性を有する合成樹脂を付与するためのディスペンサー１と、上部吸引台８の下方に設置され、布帛を吸引固定するための、上下・前後に移動可能な下部吸引台１７とを具備しており、上部吸引台８の内部が二層の中空状になっていて、吸着面４と吸着面５の両面に各々布帛を吸引固定できることを特徴とする布帛接着積層装置。
【請求項２】
布帛を、内部が二層の中空状になっていて、吸着面４と吸着面５の両面に各々布帛を吸引固定できる上部吸引台８の吸着面４に吸引固定する工程、該布帛に接着性を有する合成樹脂を付与する工程、上部吸引台８をその中央部にある水平方向の回転軸９を軸として１８０度回転させる工程、別の布帛を吸着面６に吸引固定した下部吸引台１７を上昇させて布帛同士を圧着させると同時に、上部吸引台８の吸引面５に布帛を吸引固定し、該布帛に接着性を有する合成樹脂を付与する工程を有することを特徴とする布帛の接着積層方法。
【発明の詳細な説明】
【０００１】
【発明の属する技術分野】
本発明は、布帛同士を接着する装置及び方法に関するものであり、さらに詳しくは、布帛に接着性を有する合成樹脂を付与する工程と、接着性を有する合成樹脂が付与された布帛に他の布帛を接着する工程を同時に行うことができるようにした装置及び方法に関するもので、例えば、二枚の布帛を貼り合わせてエアバッグ袋体を作成するために用いることができるものである。
【０００２】
【従来の技術及びその問題点】
従来エアバッグ用などの袋体を作成するには、エアバッグ袋体を構成する布帛にディスペンサーなどで接着性を有する合成樹脂を付与する工程、該接着性を有する合成樹脂が付与された布帛に他の布帛を重ね合わせる工程、貼り合わせた布帛同士を圧着する工程などがあり、更に、接着積層された布帛の接着性を有する合成樹脂部を縫製する工程などを経てエアバッグ袋体を作成していた。
しかし、上述の工程はそれぞれ作業者により手作業で行われるか、或いは、それぞれの工程毎に機械を用いて行われていた。そのため、作業者が手作業にて行う工程においては作業に熟練を要し、生産効率はきわめて悪いものであった。また、機械を用いて作業を行う場合も、工程数が増えれば、それに伴い機械数が増え、複数の機械を設置するためのスペースが必要となる。また、工程を経る毎に、次の機械の所まで布帛を運ばなければならず、そのために、作業は複雑で効率が悪いものであった。
【０００３】
【発明の目的】
本発明は、上述の課題を解決するものであり、エアバッグ等を構成する布帛同士を接着性を有する合成樹脂を用いて接着積層する工程において、接着性を有する合成樹脂の布帛への付与と布帛同士の接着工程を一台の機械で行えるようにし、そのため機械の設置面積を小さくでき、その作業を簡単に効率的に行うことのできる装置及び方法を提供するものである。
【０００４】
【課題を解決する手段】
上記目的を達成するために、本発明は、第一に、布帛を吸引固定するための、回転可能な上部吸引台８と、上部吸引台８の上方に移動可能に配置されて、上部吸引台８上に 固定された布帛に接着性を有する合成樹脂を付与するためのディスペンサー１と、上部吸引台８の下方に設置され、布帛を吸引固定するための、上下・前後に移動可能な下部吸引台６とを具備してなる布帛接着積層装置である。
また、第二に、布帛を上部吸引台８の吸着面４に吸引固定する工程、該布帛に接着性を有する合成樹脂を付与する工程、上部吸引台８を１８０度回転させる工程、別の布帛を吸引面６に吸引固定した下部吸引台１７を上昇させ布帛同士を圧着させる工程を有することを特徴とする布帛の接着積層方法である。
【０００５】
【発明の実施の形態】
次に、本発明の布帛接着装置を図面に基づいて説明する。図１に示すように、上部吸引台８は吸着面４と吸着面５を有し、エアバッグ袋体などに用いるために所定の形状に裁断された布帛２を、拡布状態で上部吸引台８の吸着面４上に載置した後、吸引用ブロアモーター１１により真空吸引を行い吸着面４に吸引固定される。布帛２の吸着面４への載置は、作業者により手作業で行われる。引き続き、上下前後左右に可動可能なディスペンサー１により接着性を有する合成樹脂３が布帛２の所定部分に付与される。ディスペンサー１の駆動はコンピュータ（図示されない）により制御されることが望ましい。吸着面４は床面からの高さが１０００ｍｍ〜１６００ｍｍの高さであることが好ましい。高さが１０００ｍｍ未満であると吸着面が低すぎて、作業者が布帛２を拡布状態で上部吸引台８上に載置する際に、腰を曲げて作業しなければならないなど作業性が悪くなる虞がある。また、高さが１６００ｍｍより高いと、作業者が布帛を拡布状態で上部吸引台８の吸着面に載置する際に、背伸びをしたり、布帛を支える手を高く伸ばして作業しなければならず、作業性が悪くなる虞がある。
また上部吸引台８の内部は、二層の中空状になっており、吸着面４，吸着面５それぞれに布帛を吸着するための吸引孔７が多数設けられ、それぞれの内部空間は、それぞれ異なる吸引用ブロアモーター１１，１５に接続され、個々に布帛を吸引固定できるようになっている。更に、上部吸引台８は中央部に回転軸９を有し回転可能になっており、回転軸９に接続されたベルトやチェーンなどの動力伝達手段１０によりモーター１３からの動力により回転することができる。また、上部吸引台８の回転はコンピュータ（図示されない）などにより制御されることが好ましい。
【０００６】
また、エアバッグ袋体などに用いるために所定の形状に裁断された別の布帛１６は、図２に示すように下部吸引台１７の吸着面６上に拡布された状態で載置された後、吸引用ブロアモーター１４により真空吸引され吸着面６に吸引固定される。布帛１６の吸着面６への載置は作業者の手作業により行われる。また、このとき、図７に示すように下部吸引台１７を前方にせりだした状態にしておくことにより、布帛１６の載置がしやすくなるため好ましい。下部吸引台１７はエアシリンダー（図示されない）などにより前後に移動させることができる。また、吸着面６は、上部吸着台８の下方に配設され、床面からの高さが１０００ｍｍ〜１６００ｍｍの高さであることが好ましい。高さが１０００ｍｍ未満であると吸着面が低すぎて、作業者が布帛１６を拡布状態で下部吸引台１７上に載置する際に、腰を曲げて作業しなければならないなど作業性が悪くなる虞がある。また、高さが１６００ｍｍより高いと、作業者が布帛１６を拡布状態で下部吸引台１７の吸着面６に載置する際に、背伸びをしたり、布帛を支える手を高く伸ばして作業しなければならず、作業性が悪くなる虞がある。
【０００７】
次に、上述のように下部吸引台１７が前にせりだした状態で、図２に示すように、接着性を有する合成樹脂３が付与された布帛２を吸引したままの上部吸引台８を１８０度回転させる。このとき、図８に示すように、下部吸引台１７が前にせりだしているため、上部吸引台８は下部吸引台１７に当接することなく回転することができる。その後、図６に示すように、下部吸引台１７を元の状態に戻し、図２に示すように、吸着面４上の布帛２と吸着面６上の布帛１６とを対向させる。
【０００８】
次に、図３に示すように、布帛１６を吸引固定したままの下部吸引台１７を上昇させ、上述の布帛２と布帛１６を圧着させる。布帛２と布帛１６が圧着された状態で、吸着面４の吸引を止め、引き続き、図４に示すように、下部吸引台１７を所定の位置まで下げる。下部吸引台１７上には、接着性を有する合成樹脂で接着積層された状態の布帛の積層体ができる。
下部吸引台１７を上昇・下降させるためには、例えば図２に示すようにエアポンプ（図示されない）に接続されたエアシリンダー１２を用いることができる。
【０００９】
また、上述した布帛２と布帛１６の圧着工程中に、図５に示すように上部吸引台８の吸着面５に布帛１８を載置、吸引固定し、前述の布帛２と同じように接着性を有する合成樹脂を付与しておくことが好ましい。この様に、本発明では、樹脂付与工程と布帛の圧着工程を同時に行えるため効率よく接着積層ができる。また、樹脂の付与の仕方により、布帛同士を全面接着積層したり、部分的な接着をするにより積層する事ができる。
【００１０】
本発明で用いられるのは織物、編み物や不織布などの布帛に限らず、吸引固定できるものであれば用いることができる。また、本発明で言う接着性を有する合成樹脂とは、アクリル樹脂、ウレタン樹脂やシリコーン樹脂などの従来公知の接着性のある樹脂を用いることができるが、常温硬化型の接着性を有する樹脂を用いることが好ましい。エアバッグ基布などに用いるときは更にシール性に優れたものを用いることが好ましい。
【００１１】
【発明の効果】
本発明によれば、接着性を有する合成樹脂を付与された布帛と他の布帛を圧着しながら、同時に他の布帛に接着性を有する合成樹脂を付与することができるため、効率よく布帛の貼り合わせができ、更に、布帛への接着性を有する合成樹脂などの樹脂の付与と、布帛同士の貼り合わせ、布帛同士の圧着工程が一台の機械できるため、設備を設置するスペースが狭くてすむなどの利点がある。
【図面の簡単な説明】
【図１】本発明による布帛を吸引固定し樹脂を付与した状態を示す概略図である。
【図２】本発明による布帛同士を対向させた状態を示す概略図である。
【図３】本発明による布帛の圧着工程を示す概略図である。
【図４】本発明による布帛の圧着工程後を示す概略図である。
【図５】本発明による布帛の圧着工程と同時に別の布帛を吸引固定していることを示す概略図である。
【図６】本発明の吸引台の状態を示す概略図である。
【図７】本発明の下部吸引台が前にせりだしている状態を示す概略図である。
【図８】本発明の下部吸引台が前にせりだした状態で上部吸引台が回転していることを示す概略図である。
【符号の説明】
１−ディスペンサー
２、１６−布帛
３−接着性を有する合成樹脂
４、５、６−吸着面
７−吸引孔
８−上部吸引台
９−軸
１０−動力伝達手段
１１、１４，１５−吸引ブロアモーター
１２−エアシリンダー
１３−モーター
１７−下部吸引台
【図１】
0004022908.tif 000002
【図２】
0004022908.tif 000003
【図３】
0004022908.tif 000004
【図４】
0004022908.tif 000005
【図５】
0004022908.tif 000006
【図６】
0004022908.tif 000007
【図７】
0004022908.tif 000008
【図８】
0004022908.tif 000009